(57)【要約】【課題】  熟練を要することなく、簡易な手段により宝石を確実に石座に取り付けられるようにする。【解決手段】  宝石１５を取付けるための石座１２において、前記宝石１５を固定する複数本の固定爪１４を備え、各固定爪１４には宝石１５の一部が嵌合する溝部１６と、この溝部１６の上方に設けられ前記宝石１５の一部を溝部１６に導くためのガイド面１７と、が形成されている。【選択図】  図２
2017079836.tif 000002
【特許請求の範囲】
【請求項１】
宝石を取付けるための石座において、
前記宝石を固定する複数本の固定爪を備え、各固定爪には宝石の一部が嵌合する溝部と、この溝部の上方に設けられ前記宝石の一部を溝部に導くためのガイド面と、が形成されている宝石用石座。
【請求項２】
前記溝部が前記固定爪の内側面に形成される請求項１に記載の宝石用石座。
【請求項３】
前記ガイド面が曲面形状である請求項１に記載の宝石用石座。
【請求項４】
前記ガイド面が前記固定爪の内側面の延長線より内側に突出している請求項１乃至３のいずれかに記載の宝石用石座。
【請求項５】
前記溝部がＶ字溝からなり、その上側壁の先端から前記ガイド面が連続して設けられる請求項１乃至４のいずれかに記載の宝石用石座。
【請求項６】
石座に設けられた複数本の固定爪に宝石の一部を嵌合する溝部とこの溝部に宝石の一部を導くガイド面とが設けられ、このガイド面に沿って宝石を押し下げ、前記固定爪を弾性的に押し広げることで溝部に宝石の一部を嵌合する宝石の石座取付方法。
【請求項７】
本体部と、この本体部に固定される石座と、この石座に取付けられる宝石とを有する装身具において、
前記石座は前記宝石を固定する複数本の固定爪を備え、各固定爪には宝石の一部が嵌合する溝部と、この溝部の上方に設けられて前記宝石の一部を溝部に導くためのガイド面と、が形成されている装身具。
【発明の詳細な説明】
【技術分野】
【０００１】
本発明は、ダイヤモンドなどの宝石を取付けるための宝石用石座、宝石の石座取付方法、及び装身具に関する。
【背景技術】
【０００２】
従来から指環、イヤリング、ネックレスなどの装身具に用いられているダイヤモンドなどの宝石は、装身具の本体部に固定されている石座に取付けられている。従来、宝石の石座取付方法としては、例えば、図６及び図７に示したように、環状に配置された複数本の固定爪３を備える石座２を装身具の本体部１に固定し、この石座２の固定爪３の内側に内方に折曲げ可能な切込み４を設けておき、この切込み４に宝石５を嵌め入れたのち内方に折曲げ、折曲げた固定爪３の上端部３ａで宝石５を固定するものである（特許文献１）。
【先行技術文献】
【特許文献】
【０００３】
【特許文献１】実公昭５０−３９２６４号公報
【発明の概要】
【発明が解決しようとする課題】
【０００４】
上記従来の宝石の石座取付方法では、環状に複数本が配置された石座２の固定爪３に折曲げ可能な切込み４を設けておき、この切込み４に宝石５を嵌め入れたのち、切込み４から固定爪３の上端部３ａを内方に折曲げて宝石を押え付け固定するものであり、小さな固定爪３の折曲げを一本一本手作業で行う必要があるため、生産性を上げることが難しかった。また、一定の品質を確保するためには、複数本の固定爪３の折曲げの角度を均一にして宝石５を固定しなければならず、熟練を要する作業になっていた。
【０００５】
そこで、本発明は、熟練を要することなく、簡易な手段により宝石を確実に石座に取り付けられるようにして、上記の課題を解決するものである。
【課題を解決するための手段】
【０００６】
上記課題を解決するために、本発明に係る宝石用石座は、宝石を取付けるための石座において、前記宝石を固定する複数本の固定爪を備え、各固定爪には宝石の一部が嵌合する溝部と、この溝部の上方に設けられ前記宝石の一部を溝部に導くためのガイド面と、が形成されている
【０００７】
また、本発明に係る宝石の石座取付方法は、石座に設けられた複数本の固定爪に宝石の一部を嵌合する溝部とこの溝部に宝石の一部を導くガイド面とが設けられ、このガイド面に沿って宝石を押し下げ、前記固定爪を弾性的に押し広げることで溝部に宝石の一部を嵌合させる。
【０００８】
また、本発明に係る装身具は、本体部と、この本体部に固定される石座と、この石座に取付けられる宝石とを有する装身具において、前記石座は前記宝石を固定する複数本の固定爪を備え、各固定爪には宝石の一部が嵌合する溝部と、この溝部の上方に設けられて前記宝石の一部を溝部に導くためのガイド面と、が形成されている。
【発明の効果】
【０００９】
本発明に係る宝石用石座によれば、溝部に導くためのガイド面を石座に設けたので、このガイド面に沿って宝石がガイドされながら押し下げられ、そのまま溝部に宝石の一部を導いて嵌合させることができる。
【００１０】
また、本発明に係る宝石の石座取付方法によれば、石座の固定爪を宝石で押し広げることで、石座の溝部に宝石の一部を容易に嵌合させることができる。
【００１１】
また、本発明に係る装身具によれば、簡易な手段により宝石を確実に石座に取り付けられるので、装身具の製造コストを抑えることができる。
【図面の簡単な説明】
【００１２】
【図１】本発明に係る宝石用石座を用いた指環の斜視図である。
【図２】本発明に係る宝石用石座の斜視図である。
【図３】本発明に係る宝石用石座の側面図である。
【図４】本発明に係る宝石用石座に宝石を取付けた側面図である。
【図５】本発明に係る宝石用石座に宝石を取付ける場合の断面図である。
【図６】従来の宝石用石座の一例を示す側面図である。
【図７】従来の宝石用石座に宝石を取付けた状態を示す要部拡大図である。
【発明を実施するための形態】
【００１３】
以下、添付図面に基づいて、本発明に係る宝石用石座及び装身具について詳細に説明する。図１には装身具の一例として指環（リング）が示されている。このリング１０は、環状の本体部１１に沿って本発明の石座１２が一列に複数配置され、各石座１２にダイヤモンド１５が取り付けられたものである。図１に示したリング１０に限らず、ダイヤモンドなどの宝石を石座に取付けるタイプの装身具であれば本発明の石座を適用することができ、例えばイヤリング、ネックレス、ブレスレット、ブローチなどの装身具にも用いられる。また、図１には宝石の一例としてダイヤモンドが示されているが、石座に取付けることができる宝石であれば、ダイヤモンドに限定されないのは勿論である。
【００１４】
図２乃至図４には本発明の一実施形態に係る宝石用石座が示されている。この石座１２は、リング１０の本体部１１にろう付けなどによって固定されるカップ状の台座１３と、この台座１３から斜め上方に延びる一対の固定爪１４とを備える。一対の固定爪１４は、ダイヤモンド１５を両側２箇所で固定するように台座１３の両側に配置され、ダイヤモンド１５のパビリオン部１５ｂの斜面の傾斜にほぼ対応した傾斜角度で立ち上がる爪下部１４ｂと、パビリオン部１５ｂとクラウン部１５ａとの間を境にして内方に向けて屈曲する爪上部１４ａとで構成されている。
【００１５】
前記固定爪１４は、爪上部１４ａ及び爪下部１４ｂが楕円柱状に形成されており、爪上部１４ａと爪下部１４ｂとの屈曲部分にはダイヤモンド１５の一部であるガードル部１５ｃが嵌合する溝部１６が形成されている。前記ガードル部１５ｃは、クラウン部１５ａとパビリオン部１５ｂとの境界のエッジをなす狭い帯状の外周部であるが、厚みに多少の幅あっても前記溝部１６への嵌合には支障がない。各固定爪１４に形成された溝部１６は、前記屈曲部分において、固定爪１４の内側面１４ｃにＶ字状の切込みを入れたＶ字溝からなり、左右一対の固定爪１４の各溝部１６が対向するように設けられている。また、前記溝部１６の開口角度θ１は、ダイヤモンド１５のクラウン部１５ａ及びパビリオン部１５ｂの各角度θ２、θ３を足した角度にほぼ対応しており、前記溝部１６にダイヤモンド１５のガードル部１５ｃを嵌合させた時に、ダイヤモンド１５がしっかりと固定爪１４に固定されることになる。また、図４に示されるように、前記溝部１６にダイヤモンド１５のガードル部１５ｃを嵌合させた時に、パビリオン部１５ｂの斜面の少なくとも一部が爪下部１４ｂの内側面１４ｃに接するようにすることで、前記嵌合時のダイヤモンド１５の安定性を増すことができる。なお、前記溝部１６の開口角度θ１は、前記角度θ１＋θ２と常に同一である必要はなく、開口角度θ１の方が多少大きくても問題はない。
【００１６】
前記固定爪１４の爪上部１４ａには、ダイヤモンド１５のガードル部１５ｃを前記溝部１６に導くためのガイド面１７が形成されている。このガイド面１７は、略球面状に形成された爪上部１４ａの内側面からなり、この内側面が曲面形状に形成されている。また、このガイド面１７は、前記溝部１６のＶ字溝の上側壁１６ａの先端から連続して形成され、ダイヤモンド１５のガードル部１５ｃがガイド面１７から直接溝部１６にガイドされて嵌合されるようになっている。また、この実施形態において、前記溝部１６の下側壁１６ｂは、前記爪下部１４ｂの内側面１４ｃと同一面上に形成されており、その同一面を上方に延ばした延長線１８より内側に前記ガイド面１７が突出形成されている。
【００１７】
前記一対の固定爪１４にそれぞれ設けられたガイド面１７間の距離Ｌ１は、各固定爪１４にそれぞれ形成された溝部１６の底部１６ｃ間の距離Ｌ２より短い。そのため、ガイド面１７は溝部１６より内側に突出している。換言すれば、前記距離Ｌ１は、一対の固定爪１４の溝部１６に嵌合されるダイヤモンド１５の直径Ｒの距離より少し短く設定されており、石座１２の上にダイヤモンド１５を置いた時には、ダイヤモンド１５のパビリオン部１５ｂがガイド面１７に当たることになる。
【００１８】
次に、上記石座１２にダイヤモンド１５を取付ける方法を図５に基づいて説明する。最初に、リング１０の本体部１１に上記石座１２をろう付けしてから時効処理を行なう。処理が済んだ後ろう付けされた石座１２にダイヤモンド１５を取付けていく。ダイヤモンド１５の取付けでは、先ず図５に示したように、ダイヤモンド１５を斜めに傾けて一方の固定爪１４（図５では左側）の溝部１６にダイヤモンド１５のガードル部１５ｃを嵌め入れる。その状態で、ダイヤモンド１５のパビリオン部１５ｂの斜面の一部が他方の固定爪１４（図５では右側）のガイド面１７に当たっている。次に、その状態から他方の固定爪１４の上方でダイヤモンド１５に力を加えて押し下げると、パビリオン部１５ｂの斜面で固定爪１４のガイド面１７が押され、固定爪１４が外方に弾性変形して押し広げられると共に、パビリオン部１５ｂの斜面が固定爪１４のガイド面１７を下方にスライドする。そして、ダイヤモンド１５のガードル部１５ｃがガイド面１７を乗り越えるのとほぼ同時に、前記ガードル部１５ｃが他方の固定爪１４の溝部１６に嵌合して、図４に示されたようにダイヤモンド１５は両側２箇所が固定爪１４に嵌合固定された状態となる。
【００１９】
このように、固定爪１４のガイド面１７にパビリオン１５ｂの斜面を滑らせながらダイヤモンド１５を押し下げることで、ダイヤモンド１５はガイド面１７にガイドされながら固定爪１４の溝部１６にガードル部１５ｃが嵌め込まれて固定される。そのため、従来のように固定爪の上端部を折り曲げてダイヤモンドを固定する必要がなく、極めて簡易なダイヤモンドの取付け方法となる。残りの全てのダイヤモンドについても、同様の取付け方法で固定することができる。
【００２０】
なお、上記実施形態では左右一対の固定爪１４からなる石座１２について説明したが、本発明では取付ける宝石の大きさや形状などによって、宝石を４カ所で固定する４本爪の石座や、一本の固定爪の両側に溝部を設けて複数の宝石を同時に固定する石座などにも適用されることは勿論である。また、上記実施形態では時効処理が済んだ石座１２にダイヤモンド１５を取付ける場合について説明したが、本発明では石座１２にダイヤモンド１５を取付けて表面研磨の処理をした後に時効処理を行ってもよく、さらに時効処理を行わない場合もある。
【符号の説明】
【００２１】
１０  リング
１１  本体部
１２  石座
１３  台座
１４  固定爪
１４ａ  爪上部
１４ｂ  爪下部
１４ｃ  内側面
１５  ダイヤモンド
１５ａ  クラウン部
１５ｂ  パビリオン部
１５ｃ  ガードル部
１６  溝部
１６ａ  上側壁
１６ｂ  下側壁
１６ｃ  底部
１７  ガイド面
１８  延長線
【図１】
2017079836.tif 000003
【図２】
2017079836.tif 000004
【図３】
2017079836.tif 000005
【図４】
2017079836.tif 000006
【図５】
2017079836.tif 000007
【図６】
2017079836.tif 000008
【図７】
2017079836.tif 000009